(57)【要約】【課題】  この発明は、液晶プロジェクタを用いてプレゼンテーションが行われている会場において、携帯電話機の着信音によってプレゼンテーションが妨げられるのを回避することができる液晶プロジェクタを提供することを目的とする。【解決手段】  液晶プロジェクタにおいて、赤外線通信機能付きの携帯電話機と赤外線通信を行うための赤外線インターフェイス、周囲の携帯電話機の動作モードをマナーモードにさせるためのマナーモード要求指令を入力させるための入力手段、およびマナーモード要求指令が入力されたときに、携帯電話機の動作モードをマナーモードにさせるためのコマンドを赤外線インターフェイスを介して赤外線送信させる手段を備えている。【選択図】  図１
2005150825.tif 000002
【特許請求の範囲】
【請求項１】
赤外線通信機能付きの携帯電話機と赤外線通信を行うための赤外線インターフェイス、
周囲の携帯電話機の動作モードをマナーモードにさせるためのマナーモード要求指令を入力させるための入力手段、および
マナーモード要求指令が入力されたときに、携帯電話機の動作モードをマナーモードにさせるためのコマンドを赤外線インターフェイスを介して赤外線送信させる手段、
を備えていることを特徴とする液晶プロジェクタ。
【請求項２】
液晶プロジェクタと、赤外線通信機能付きの携帯電話機とを備えたプレゼンテーションシステムにおいて、
携帯電話機は、液晶プロジェクタの各種設定情報を登録させる手段、および登録している設定情報を赤外線送信する手段を備えており、
液晶プロジェクタは、携帯電話機と赤外線通信を行うための赤外線インターフェイス、および赤外線インターフェイスを介して携帯電話機からの設定情報を受信したときに、液晶プロジェクタの設定内容を受信した設定情報の内容に変更させる手段を備えていることを特徴とするプレゼンテーションシステム。
【発明の詳細な説明】
【技術分野】
【０００１】
この発明は、液晶プロジェクタおよびプレゼンテーションシステムに関する。
【背景技術】
【０００２】
液晶プロジェクタを用いたプレゼンテーションが行われている会場では、携帯電話機の着信音が鳴ると、プレゼンテーションの妨げになるため、携帯電話機の電源を切る旨または携帯電話の動作モードをマナーモードに切り換える旨のアナウンスが行われている。しかしながら、携帯電話機の所有者がアナウンスに従った設定を行わなかった場合には、プレゼンテーション中に携帯電話機の着信音が鳴ってしまい、発表者や聴衆などに迷惑がかかる。このようなことが起こらないように、何らの対策をこうじる必要がある。
【０００３】
液晶プロジェクタを用いてプレゼンテーションを行う場合、１台のプロジェクタに対して、複数の発表者がプレゼンテーションを行うことが考えられる。このような場合には、プロジェクタの各種設定内容を発表者毎にその発表者のプレゼンテーションに適したものに変更するといったことが行われるが、設定内容を変更するための操作に時間がかかるため、発表者交代の際に時間がかかるという問題がある。
【発明の開示】
【発明が解決しようとする課題】
【０００４】
この発明は、液晶プロジェクタを用いてプレゼンテーションが行われている会場において、携帯電話機の着信音によってプレゼンテーションが妨げられるのを回避することができる液晶プロジェクタを提供することを目的とする。
【０００５】
また、この発明は、プレゼンテーションの発表者による液晶プロジェクタの設定変更が短時間に行え、発表者交代の際に液晶プロジェクタの設定変更のために要する時間を短縮化することができるプレゼンテーションシステムを提供することを目的とする。
【課題を解決するための手段】
【０００６】
請求項１に記載の発明は、液晶プロジェクタにおいて、赤外線通信機能付きの携帯電話機と赤外線通信を行うための赤外線インターフェイス、周囲の携帯電話機の動作モードをマナーモードにさせるためのマナーモード要求指令を入力させるための入力手段、およびマナーモード要求指令が入力されたときに、携帯電話機の動作モードをマナーモードにさせるためのコマンドを赤外線インターフェイスを介して赤外線送信させる手段を備えていることを特徴とする。
【０００７】
請求項２に記載の発明は、液晶プロジェクタと、赤外線通信機能付きの携帯電話機とを備えたプレゼンテーションシステムにおいて、携帯電話機は、液晶プロジェクタの各種設定情報を登録させる手段、および登録している設定情報を赤外線送信する手段を備えており、液晶プロジェクタは、携帯電話機と赤外線通信を行うための赤外線インターフェイス、および赤外線インターフェイスを介して携帯電話機からの設定情報を受信したときに、液晶プロジェクタの設定内容を受信した設定情報の内容に変更させる手段を備えていることを特徴とする。
【発明の効果】
【０００８】
この発明によれば、液晶プロジェクタを用いてプレゼンテーションが行われている会場において、携帯電話機の着信音によってプレゼンテーションが妨げられるのを回避することができるようになる。
【０００９】
また、この発明によれば、プレゼンテーションの発表者による液晶プロジェクタの設定変更が短時間に行え、発表者交代の際に液晶プロジェクタの設定変更のために要する時間を短縮化することができるようになる。
【発明を実施するための最良の形態】
【００１０】
以下、図面を参照して、この発明の実施例について説明する。
【実施例１】
【００１１】
図１は、液晶プロジェクタとその周囲にある携帯電話機とを示している。
【００１２】
液晶プロジェクタ１０は、信号入力部１１、信号処理部１２、表示パネル１３、ＣＰＵ１４、ＲＯＭ１５、ＲＡＭ１６、リモコン信号受信部１７、ＩｒＭＣ  ＩＦ１８、リモートコントローラ（リモコン）２０を備えている。ＩｒＭＣ  ＩＦ１８は、ＩｒＭＣ（Infra-red Mobile Communication) に準拠した赤外線インターフェイスである。
【００１３】
プレゼンテーションを行う場合には、発表者がプレゼンテーション用の映像を保持したＰＣ１００を操作することによって、そのＰＣ１００から信号入力部１１に映像信号が入力される。信号入力部１１に入力された映像信号は、信号処理部１２に送られ、所定の信号処理が行われた後、表示パネル１３に送られて、表示される。
【００１４】
プレゼンテーション会場に来場している聴衆者の中には、携帯電話機３０を所持している人がいる。この例では、携帯電話機３０はＩｒＭＣに準拠した赤外線インターフェイスを備えているものとする。
【００１５】
この液晶プロジェクタは、ＩｒＭＣに準拠した赤外線インターフェイスを備えた携帯電話機に対して、その動作モードをマナーモードに設定させる機能を備えている。液晶プロジェクタのメニュー画面には、周囲の携帯電話機３０に対して、その動作モードをマナーモードに設定させるための設定項目”マナーモード”が用意されている。
【００１６】
プレゼンテーションの主催者は、液晶プロジェクタ１０のリモコン２０を操作することにより、メニュー画面から設定項目”マナーモード”を選択する。設定項目”マナーモード”が選択されると、液晶プロジェクタ１０のＣＰＵ１４にマナーモード要求指令が入力される。ＣＰＵ１４は、マナーモード要求指令が入力されると、ＩｒＭＣ  ＩＦ１８を介して周囲の携帯電話機３０に対して、携帯電話機の動作モードを強制的にマナーモードにさせるためのコマンド（マナーモード設定要求コマンド）を赤外線送信する。
【００１７】
このマナーモード設定要求コマンドを受信した携帯電話機３０は、自己の動作モードをマナーモードに設定する。したがって、携帯電話機３０の所有者が、その動作モードをマナーモードに設定していない場合であっても、その動作モードが強制的にマナーモードに設定せしめられる。これにより、携帯電話機３０の着信音によってプレゼンテーションが妨げられるのを回避することができるようになる。
【実施例２】
【００１８】
図２は、液晶プロジェクタとプレゼンテーションの発表者が所持している携帯電話機とを示している。液晶プロジェクタの構成は、図１と同じであるので、その説明を省略する。
【００１９】
ここでは、図２の液晶プロジェクタ１０およびＰＣ１００を用いて複数の発表者がプレゼンテーションを行う場合を想定する。
【００２０】
各発表者は、それぞれ携帯電話機４０を所持している。各携帯電話機４０はＩｒＭＣに準拠した赤外線インターフェイスを備えている。各携帯電話機４０は、ユーザ操作によって、液晶プロジェクタ１０の各種設定項目毎に設定情報を登録させる機能（手段）（以下、プロジェクタ設定情報登録機能という）と、登録されている液晶プロジェクタ１０の設定情報を、ユーザ操作によって赤外線送信する機能（手段）を備えている。
【００２１】
各発表者は、携帯電話機４０のプロジェクタ設定情報登録機能を利用して、自己の携帯電話機４０に、自己が行うプレゼンテーションに最適な液晶プロジェクタの設定情報を登録している。液晶プロジェクタの設定項目には、コントラスト、明るさ、解像度等の画質に関する設定項目と、水平周波数、ドットクロック、位相等の信号の種類に関する設定項目とがある。
【００２２】
各発表者は、自己がプレゼンテーションを開始する前に、自己の携帯電話機４０を操作して、自己の携帯電話機４０に登録されている液晶プロジェクタの設定情報を、液晶プロジェクタ１０に対して赤外線送信させる。携帯電話機４０から赤外線送信された液晶プロジェクタの設定情報は、液晶プロジェクタ１０のＩｒＭＣ  ＩＦ１８を介してＣＰＵ１４によって受信される。ＣＰＵ１４は、携帯電話機４０からの設定情報を受信すると、液晶プロジェクタ１０の設定内容を、受信した設定情報の内容に変更する。
【００２３】
このように、携帯電話機４０に予め登録されている液晶プロジェクタの設定情報を、液晶プロジェクタ１０に対して赤外線送信するといった簡単な操作で、液晶プロジェクタ１０の設定内容を変更できるので、プレゼンテーションの発表者による液晶プロジェクタの設定変更が短時間に行え、発表者交代の際に液晶プロジェクタの設定変更のために要する時間を短縮化することができるようになる。
【図面の簡単な説明】
【００２４】
【図１】液晶プロジェクタとその周囲にある携帯電話機とを示すブロック図である。
【図２】液晶プロジェクタとプレゼンテーションの発表者が所持している携帯電話機とを示すブロック図である。
【符号の説明】
【００２５】
１０  液晶プロジェクタ
１１  信号入力部
１２  信号処理部
１３  表示パネル
１４  ＣＰＵ
１５  ＲＯＭ
１６  ＲＡＭ
１７  リモコン信号受信部
１８  ＩｒＭＣ  ＩＦ
２０  リモートコントローラ（リモコン）
３０、４０  携帯電話機
【図１】
2005150825.tif 000003
【図２】
2005150825.tif 000004